(57)【要約】【課題】コンピュータが盗難や紛失または不適切な廃棄によって、外部に流失するとコンピュータ内部の情報も流失してしまう。現状ではコンピュータを個別に管理することで内部情報を保護しているが、その方法を知る者、またはパスワードを与えられた担当者などの関与による盗難には対処できない。【解決手段】本発明は、コンピュータ端末をコンピュータネットワークを介してサーバーが管理し、コンピュータネットワークからコンピュータ端末が離脱されるとコンピュータ端末の使用ができない状態を作り出し、コンピュータ端末の盗難に対応する情報管理からコンピュータ取り扱い担当者個人による管理を排除し、また情報保護の設定や変更もサーバー経由で行うことでこれらの問題に対応する。【選択図】    なし【特許請求の範囲】
【請求項１】
コンピュータ端末をコンピュータネットワークから離脱させて不正に持ち出した場合、コンピュータ端末を使用不能にすることでコンピュータ内部の情報を保護する方法であって、コンピュータ端末の電源が切れている状態から電源を投入すると、コンピュータ端末にインストールされたコンピュータ使用を管理するソフトウエアーがコンピュータネットワークを介して、サーバーのコンピュータ端末を管理するソフトウエアーに当該コンピュータ端末の使用を許可するコードの発行を自動的に依頼し、発行依頼を受けたサーバーのコンピュータ端末を管理するソフトウエアーは登録されたコンピュータ端末と自動的に照合して、当該コンピュータ端末が適性に登録されている場合のみ使用を許可するコードを自動的に発行し、コンピュータネットワークを介してコンピュータ端末のコンピュータ使用を管理するソフトウエアーが使用を許可するコードを自動的に受け取り格納することで、当該コンピュータ端末の使用を継続できる状態で維持し、コンピュータ端末にインストールされたコンピュータ使用を管理するソフトウエアーによって使用を許可するコードの発行依頼がなされて一定時間を経過しても、使用許可コードが取り付けられない場合にはコンピュータ端末にインストールされているコンピュータ使用を管理するソフトウエアーが自動的に当該コンピュータ端末の電源を切る手段、によるコンピュータ盗難に対する情報保護方法。
【請求項２】
コンピュータ端末をコンピュータネットワークから離脱させて不正に持ち出した場合、コンピュータ端末を使用不能にすることでコンピュータ内部の情報を保護する方法であって、一定時間ごとに、コンピュータ端末にインストールされたコンピュータ使用を管理するソフトウエアーがコンピュータネットワークを介して、サーバーのコンピュータ端末を管理するソフトウエアーに当該コンピュータ端末の使用の継続を許可するコードの発行を自動的に依頼し、発行依頼を受けたサーバーのコンピュータ端末を管理するソフトウエアーは登録されたコンピュータ端末と自動的に照合して、当該コンピュータ端末が適性に登録されている場合のみ使用の継続を許可するコードを自動的に発行し、コンピュータネットワークを介して当該コンピュータ端末のコンピュータ使用を管理するソフトウエアーが使用の継続を許可するコードを自動的に受け取り格納すると、当該コンピュータ端末の使用を継続できる状態のまま維持し、コンピュータ端末にインストールされたコンピュータ使用を管理するソフトウエアーによって使用の継続を許可するコードが取り付けられない場合は、コンピュータ使用を管理するソフトウエアーが自動的に当該コンピュータ端末の電源を切る手段、を備えたことを特徴とするコンピュータ盗難に対する情報保護方法。
【請求項３】
上記の方法で、適正な理由によりコンピュータネットワークからコンピュータ端末を離脱させて使用する方法であって、離脱させようとするコンピュータ端末の電源が入った状態でサーバーのコンピュータ端末を管理するソフトウエアーにサーバーから離脱させて使用予定のコンピュータ端末のコンピュータ使用を管理するソフトウエアーの機能の内、使用を許可するコードおよび使用の継続を許可するコードを格納しないと電源を切る機能を解除するキーの発行指示を入力発行し、コンピュータネットワークを介して電送し、離脱させて使用予定のコンピュータ端末のコンピュータ使用を管理するソフトウエアーがコンピュータ使用を管理するソフトウエアーの機能の内、使用を許可するコードおよび使用の継続を許可するコードを格納しないと電源を切る機能を解除するキーを自動的に受取り格納し、コンピュータ端末のコンピュータ使用を管理するソフトウエアーの機能の内、使用を許可するコードおよび使用の継続を許可するコードを格納しないと電源を切る機能を解除する手段、を備えたことを特徴とするコンピュータ盗難に対する情報保護方法。
【請求項４】
上記の方法で、適正な理由によりコンピュータネットワークから離脱させたコンピュータ端末をコンピュータネットワークに戻して管理を開始する手段であって、コンピュータ使用を管理するソフトウエアーの解除した機能の内、使用を許可するコードおよび使用の継続を許可するコードを格納しないと電源を切る機能を有効にしようとするコンピュータ端末の電源が入った状態でサーバーのコンピュータ端末を管理するソフトウエアーに使用を許可するコードおよび使用の継続を許可するコードを格納しないと電源を切る機能を解除するキーを無効にするコードの発行指示を入力発行し、コンピュータネットワークを介して電送し、コンピュータ端末のコンピュータ使用を管理するソフトウエアーがコンピュータ使用を管理するソフトウエアーの機能の内、使用を許可するコードおよび使用の継続を許可するコードを格納しないと電源を切る機能を解除するキーを無効にするコードを自動的に受取り格納し、自動的にコンピュータ使用を管理するソフトウエアーの機能の内、使用を許可するコードおよび使用の継続を許可するコードを格納しないと電源を切る機能を解除するキーを無効にする処理をして、コンピュータ端末のコンピュータ使用を管理するソフトウエアーの機能の内、使用を許可するコードおよび使用の継続を許可するコードを格納しないと当該コンピュータ端末の電源を切る機能を有効にする手段、を備えたことを特徴とするコンピュータ盗難に対する情報保護方法。
【請求項５】
上記の方法で、コンピュータ端末がコンピュータネットワークから無断で離脱されたことおよび、コンピュータ端末にインストールされたコンピュータ使用を管理するソフトウエアーの状態を監視する手段であって、サーバーのコンピュータ端末を管理するソフトウエアーに登録されているコンピュータ端末から、サーバーのコンピュータ端末を管理するソフトウエアーに一定期間、使用を許可するコードおよび使用の継続を許可するコードの発行依頼が来ていない場合に、サーバーのコンピュータ端末を管理するソフトウエアーがサーバーの管理者に対して警報を発する手段、を備えたことを特徴とするコンピュータ盗難に対する情報保護方法。
【発明の詳細な説明】
【技術分野】
【０００１】  本発明はコンピュータの盗難に際して、コンピュータ内部の情報を保護する方法に関するものである。
【背景技術】
【０００２】  従来、コンピュータの盗難によるコンピュータ内部の情報を保護するの方法は、ＩＣカードによる方法特開平０５−０９４２２５号公報があり、周辺機器との接続を管理する方法特開２００１−３１８８７５号公報があり、パスワードによる方法特開２００１−３０６２６６号公報があり、コンピュータの位置を測定する方法特開２００３−２８０９９２号公報があった、これらはコンピュータ単独で管理をおこない、コンピュータ内部の情報保護をコンピュータ取扱い担当者の適正な行動に頼っていた。
【発明の開示】
【発明が解決しようとする課題】
【０００３】  しかしながら、これらの方法ではコンピュータの取扱い担当者の関与による盗難、情報保護の方法を知るためにこれらの情報保護方法に対処できる者の関与による盗難には対応できない、そこで本発明は、コンピュータネットワークを利用してコンピュータをサーバーから管理することで、コンピュータ取り扱い担当者自身による管理を排除して、情報保護の方法を知るためにこれらの情報保護方法に対処できる者の関与による盗難の場合も含めて、コンピュータが盗難にあっても内部の情報を保護する方法を提供する。
【課題を解決するための手段】
【０００４】  上記課題を解決するために本発明は、コンピュータ端末をコンピュータネットワークから離脱させて不正に持ち出した場合、コンピュータ端末を使用不能にすることでコンピュータ内部の情報を保護する方法であって、コンピュータ端末の電源が切れている状態から電源を投入すると、コンピュータ端末にインストールされたコンピュータ使用を管理するソフトウエアーがコンピュータネットワークを介して、サーバーのコンピュータ端末を管理するソフトウエアーに当該コンピュータ端末の使用を許可するコードの発行を自動的に依頼し、発行依頼を受けたサーバーのコンピュータ端末を管理するソフトウエアーは登録されたコンピュータ端末と自動的に照合して、当該コンピュータ端末が適性に登録されている場合のみ使用を許可するコードを自動的に発行し、コンピュータネットワークを介してコンピュータ端末のコンピュータ使用を管理するソフトウエアーが使用を許可するコードを自動的に受け取り格納することで、当該コンピュータ端末の使用を継続できる状態で維持し、コンピュータ端末にインストールされたコンピュータ使用を管理するソフトウエアーによって使用を許可するコードの発行依頼がなされて一定時間を経過しても、使用許可コードが取り付けられない場合にはコンピュータ端末にインストールされているコンピュータ使用を管理するソフトウエアーが自動的に当該コンピュータ端末の電源を切る手段、によるコンピュータ盗難に対する情報保護方法である。【０００５】  上記課題を解決するために本発明は、コンピュータ端末をコンピュータネットワークから離脱させて不正に持ち出した場合、コンピュータ端末を使用不能にすることでコンピュータ内部の情報を保護する方法であって、一定時間ごとに、コンピュータ端末にインストールされたコンピュータ使用を管理するソフトウエアーがコンピュータネットワークを介して、サーバーのコンピュータ端末を管理するソフトウエアーに当該コンピュータ端末の使用の継続を許可するコードの発行を自動的に依頼し、発行依頼を受けたサーバーのコンピュータ端末を管理するソフトウエアーは登録されたコンピュータ端末と自動的に照合して、当該コンピュータ端末が適性に登録されている場合のみ使用の継続を許可するコードを自動的に発行し、コンピュータネットワークを介して当該コンピュータ端末のコンピュータ使用を管理するソフトウエアーが使用の継続を許可するコードを自動的に受け取り格納すると、当該コンピュータ端末の使用を継続できる状態のまま維持し、コンピュータ端末にインストールされたコンピュータ使用を管理するソフトウエアーによって使用の継続を許可するコードが取り付けられない場合は、コンピュータ使用を管理するソフトウエアーが自動的に当該コンピュータ端末の電源を切る手段、を備えたことを特徴とするコンピュータ盗難に対する情報保護方法である。【０００６】  上記課題を解決するために本発明は、適正な理由によりコンピュータネットワークからコンピュータ端末を離脱させて使用する方法であって、離脱させようとするコンピュータ端末の電源が入った状態でサーバーのコンピュータ端末を管理するソフトウエアーにサーバーから離脱させて使用予定のコンピュータ端末のコンピュータ使用を管理するソフトウエアーの機能の内、使用を許可するコードおよび使用の継続を許可するコードを格納しないと電源を切る機能を解除するキーの発行指示を入力発行し、コンピュータネットワークを介して電送し、離脱させて使用予定のコンピュータ端末のコンピュータ使用を管理するソフトウエアーがコンピュータ使用を管理するソフトウエアーの機能の内、使用を許可するコードおよび使用の継続を許可するコードを格納しないと電源を切る機能を解除するキーを自動的に受取り格納し、コンピュータ端末のコンピュータ使用を管理するソフトウエアーの機能の内、使用を許可するコードおよび使用の継続を許可するコードを格納しないと電源を切る機能を解除する手段、を備えたことを特徴とするコンピュータ盗難に対する情報保護方法である。【０００７】  上記課題を解決するために本発明は、適正な理由によりコンピュータネットワークから離脱させたコンピュータ端末をコンピュータネットワークに戻して管理を開始する手段であって、コンピュータ使用を管理するソフトウエアーの解除した機能の内、使用を許可するコードおよび使用の継続を許可するコードを格納しないと電源を切る機能を有効にしようとするコンピュータ端末の電源が入った状態でサーバーのコンピュータ端末を管理するソフトウエアーに使用を許可するコードおよび使用の継続を許可するコードを格納しないと電源を切る機能を解除するキーを無効にするコードの発行指示を入力発行し、コンピュータネットワークを介して電送し、コンピュータ端末のコンピュータ使用を管理するソフトウエアーがコンピュータ使用を管理するソフトウエアーの機能の内、使用を許可するコードおよび使用の継続を許可するコードを格納しないと電源を切る機能を解除するキーを無効にするコードを自動的に受取り格納し、自動的にコンピュータ使用を管理するソフトウエアーの機能の内、使用を許可するコードおよび使用の継続を許可するコードを格納しないと電源を切る機能を解除するキーを無効にする処理をして、コンピュータ端末のコンピュータ使用を管理するソフトウエアーの機能の内、使用を許可するコードおよび使用の継続を許可するコードを格納しないと当該コンピュータ端末の電源を切る機能を有効にする手段、を備えたことを特徴とするコンピュータ盗難に対する情報保護方法である。【０００８】  上記課題を解決するために本発明は、コンピュータ端末がコンピュータネットワークから無断で離脱されたことおよび、コンピュータ端末にインストールされたコンピュータ使用を管理するソフトウエアーの状態を監視する手段であって、サーバーのコンピュータ端末を管理するソフトウエアーに登録されているコンピュータ端末から、サーバーのコンピュータ端末を管理するソフトウエアーに一定期間、使用を許可するコードおよび使用の継続を許可するコードの発行依頼が来ていない場合に、サーバーのコンピュータ端末を管理するソフトウエアーがサーバーの管理者に対して警報を発する手段、を備えたことを特徴とするコンピュータ盗難に対する情報保護方法である。
【発明の効果】
【０００９】  本発明によれば、コンピュータ端末を不正な手段で持ち出されたり、盗難や紛失または不適切な廃棄をしても接続すべきコンピュータネットワークに接続されていて、なおかつサーバーに適正に登録されていなければコンピュータ端末が使用できない状態を作り出しコンピュータ内部の情報を保護することができる。【００１０】  本発明によれば、コンピュータ端末を正当な理由でコンピュータネットワークから離脱させて使用することが可能であり、その場合もサーバーのコンピュータ端末を管理するソフトウエアーに入力指示する手順をとることで、コンピュータ端末取扱い担当者以外の者の管理が可能であり、コンピュータ端末取り扱い担当者単独でコンピュータネットワークから離脱させて使用することを阻止できる。【００１１】  本発明によれば、サーバーのコンピュータ端末を管理するソフトウエアーに登録済みのコンピュータ端末を、コンピュータネットワークから離脱させて使用できる状態から、サーバーの管理下に戻すことができる。【００１２】  本発明によれば、コンピュータ端末の使用者単独での管理を排除して、サーバーによる自動管理を可能にし、コンピュータ端末使用者の故意または不適切なパスワード管理を伴なうコンピュータ端末の盗難や紛失または不適切な廃棄による情報の漏洩を阻止できる。【００１３】  本発明によれば、コンピュータ端末の盗難による情報保護にパスワードまたはコードを使用しないことで、パスワードまたはコードの入力スペースを排除し、盗難や紛失または廃棄されたコンピュータ端末のパスワードまたはコードの入力スペースにパスワードまたはコードを順次入力する解析によって、コンピュータ内部の情報を不正に利用しようとする試みを排除できる。【００１４】  本発明によれば、コンピュータ端末がコンピュータネットワークから無断で離脱されたことおよび、コンピュータ端末にインストールされたコンピュータ使用を管理するソフトウエアーの状態をサーバーで監視でき、異常がある場合にはサーバー管理者に対して警報を発することができる。
【発明を実施するための最良の形態】
【００１５】  以下、本発明を実施例を基に順を追って詳細に説明する、コンピュータ盗難時にコンピュータ内部の情報を保護しようとするコンピュータ端末が存在するコンピュータネットワーク上のサーバーに、後に説明するコンピュータ端末にインストールされているコンピュータ使用管理ソフトウエアーからコンピュータネットワークを介して、当該コンピュータ端末の使用許可コードの発行依頼を受けて、適正に登録されたコンピュータ端末からのものである場合は、使用許可コードを当該コンピュータ端末に向けて発行電送する機能を持ち、後に説明するコンピュータ端末のコンピュータ使用管理ソフトウエアーからコンピュータネットワークを介して、当該コンピュータ端末の使用継続許可コードの発行依頼を受けて、適正に登録されたコンピュータ端末からのものである場合、使用継続許可コードを当該コンピュータ端末に向けて発行電送する機能を持ち、サーバーの端末コンピュータ管理ソフトウエアーに対する使用管理解除キーの発行入力を受けて使用管理解除キーを指定コンピュータ端末に向けて発行電送する機能を持ち、サーバーの端末コンピュータ管理ソフトウエアーに対する使用管理解除キー無効コードの発行入力を受けて使用管理解除キー無効コードを指定コンピュータ端末に向けて発行電送する機能を持った、コンピュータ端末管理ソフトウエアーをインストールする。【００１６】  上記のコンピュータ端末管理ソフトウエアーにコンピュータ端末の登録をする。【００１７】  上記で登録されたコンピュータ端末が電源の切れている状態から電源が投入されると、当該コンピュータ端末にインストールされたコンピュータ使用管理ソフトウエアーがコンピュータネットワークを介して、サーバーにインストールされたコンピュータ端末管理ソフトウエアーに当該コンピュータ端末の使用許可コードの発行を自動で依頼し、使用許可コードが取り付けられない場合は自動的に当該コンピュータ端末の電源を切る機能を持ち、当該コンピュータ端末の使用を続けると一定時間ごとに、コンピュータネットワークを介して、サーバーにインストールされたコンピュータ端末管理ソフトウエアーに当該コンピュータ端末の使用継続許可コードの発行を自動で依頼をし、使用継続許可コードが取り付けられない場合は自動的に当該コンピュータ端末の電源を切る機能を持ち、コンピュータネットワークを介してサーバーのコンピュータ端末管理ソフトウエアーから使用管理解除キーを受け取るとコンピュータ使用管理ソフトウエアーの機能から使用許可コードおよび使用継続許可コードを取り付けられないと電源を切る機能を解除する機能を持ち、コンピュータネットワークを介してサーバーのコンピュータ端末管理ソフトウエアーから使用管理解除キー無効コードを受け取ると、コンピュータ端末の使用管理ソフトウエアーの機能の内、使用許可コードおよび使用継続許可コードを取り付けられないと電源を切る機能を有効にする機能を持った、コンピュータ使用管理ソフトウエアーをインストールする。【００１８】  コンピュータ端末の電源を切り、再度電源を投入するとコンピュータ端末のコンピュータ使用管理ソフトウエアーがコンピュータネットワークを介して、サーバーのコンピュータ端末管理���フトウエアーに当該コンピュータ端末の使用許可コードの発行を自動的に依頼をする。【００１９】  サーバーのコンピュータ端末管理ソフトウエアーはコンピュータネットワークを介してコンピュータ端末から使用許可コードの発行依頼をうけると、適正に登録されたコンピュータ端末からのものであるかを自動的に調べ、適性である場合は使用許可コードを発行してコンピュータネットワークを介して当該コンピュータ端末に電送し、不適正である場合は警報を発する。【００２０】  コンピュータ端末のコンピュータ使用管理ソフトウエアーが使用許可コードを受け取るとコンピュータ使用管理ソフトウエアーに自動的に格納し、一定時間が経過すると一定時間ごとにサーバーのコンピュータ端末管理ソフトウエアーに使用継続許可コードの発行依頼を自動でするようになり、コンピュータ端末で電源を切る処理をすると使用許可コードは削除される。【００２１】  コンピュータ端末のコンピュータ使用管理ソフトウエアーがコンピュータネットワークを介してサーバーのコンピュータ端末管理ソフトウエアーに、使用許可コードの発行依頼をしてしてから一定時間が経過しても使用許可コードがコンピュータ端末のコンピュータ使用管理ソフトウエアーに格納されないときはコンピュータ使用管理ソフトウエアーがコンピュータ端末の電源を自動的に切る。【００２２】  サーバーのコンピュータ端末使用管理ソフトウエアーはコンピュータネットワークを介してコンピュータ端末のコンピュータ使用管理ソフトウエアーから使用継続許可コードの発行依頼をうけると、適正に登録されたコンピュータ端末からのものであるかを自動的に調べ、適性である場合は使用継続許可コードを発行してコンピュータネットワークを介して当該コンピュータ端末に電送し、不適正である場合は警報を発する。【００２３】  コンピュータ端末のコンピュータ使用管理ソフトウエアーが使用継続許可コードを受け取るとコンピュータ使用管理ソフトウエアーに自動的に格納し、一定時間が経過すると格納された使用継続許可コードが自動的に削除され、再びサーバーのコンピュータ端末管理ソフトウエアーに使用継続許可コードの発行を自動的に依頼をする。【００２４】  コンピュータ端末のコンピュータ使用管理ソフトウエアーがコンピュータネットワークを介してサーバーのコンピュータ端末管理ソフトウエアーに、使用継続許可コードの発行依頼をしてしてから一定時間が経過しても使用継続許可コードがコンピュータ端末のコンピュータ使用管理ソフトウエアーに格納されないときはコンピュータ使用管理ソフトウエアーがコンピュータ端末の電源を自動的に切る。【００２５】  適正な理由によりコンピュータネットワークからコンピュータ端末を離脱させて使用する場合、コンピュータ端末の電源が入った状態でサーバーのコンピュータ端末管理ソフトウエアーにコンピュータネットワークから離脱させて使用しようとするコンピュータ端末の使用管理解除キーの発行指示を入力し、使用管理解除キーを発行しコンピュータネットワークを介して電送し、コンピュータネットワークから離脱させて使用しようとするコンピュータ端末のコンピュータ使用管理ソフトウエアーが使用管理解除キーを自動的に受取リコンピュータ��用管理ソフトウエアーに格納すると、コンピュータ使用管理ソフトウエアーの機能から、使用許可コードおよび使用継続許可コードを格納しないと電源を切る機能を自動的に解除する。【００２６】  コンピュータ端末のコンピュータ使用管理ソフトウエアーの機能から、使用許可コードおよび使用継続許可コードを格納しないと電源を切る機能を解除したものを再度有効にする場合、コンピュータ端末の電源が入った状態でサーバーのコンピュータ端末管理ソフトウエアーにコンピュータ端末の使用管理解除キー無効コードの発行指示を入力し、使用管理解除キー無効コードを発行しコンピュータネットワークを介して電送し、使用管理解除キーを無効にしようとするコンピュータ端末のコンピュータ使用管理ソフトウエアーが使用管理解除キー無効コードを自動的に受取りコンピュータ使用管理ソフトウエアーに格納し使用管理解除キーの削除処理を自動的にして、コンピュータ使用管理ソフトウエアーの機能の内、使用許可コードおよび使用継続許可コードを格納しないと電源を切る機能を有効にし、その後使用管理解除キー無効コード自身も自動的に削除する。【００２７】  サーバーのコンピュータ端末管理ソフトウエアーに登録されているコンピュータ端末から、サーバーのコンピュータ端末管理ソフトウエアーに一定期間、使用許可コードおよび使用継続許可コードの発行依頼が来ていない場合に、サーバーのコンピュータ端末管理ソフトウエアーへのコンピュータネットワークからコンピュータ端末を離脱させるための入力なしにコンピュータ端末をコンピュータネットワークから離脱させた可能性と、コンピュータ端末にインストールされたコンピュータ使用管理ソフトウエアーに不具合があるか削除された可能性が発生していることを知らせるために、サーバーのコンピュータ端末管理ソフトウエアーがその管理者に対して警報を発し、当該コンピュータ端末と当該コンピュータ端末から使用許可コードおよび使用継続許可コードの発行依頼が来ていない状況を知らせる。【００２８】  本発明は以上で説明した実施例に限定されるものではない。